(57)【要約】【課題】組み立て・分解が容易で密閉性に優れた書込み装置を提供する。【解決手段】上面に開口２１を有するケース本体２２と、そのケース本体２２に収容され、画像情報をもとに感光体（像担持体）１４上の表面にレーザ光をあてて静電潜像を形成する書込み手段と、ケース本体２２に取り付けて開口２１を覆うカバー２４と、そのカバー２４とケース本体２２との隙間を閉塞するシール材２６とを備える書込み装置４の、カバー２４とシール材２６とを一体に成形する。このとき、カバー２４は樹脂からなり、シール材２６はその樹脂と接合力の弱いエラストマーからなる。【選択図】      図２
2004262118.tif 000002
【特許請求の範囲】
【請求項１】
上面に開口を有するケース本体と、
該ケース本体に収容され、画像情報をもとに像担持体上に光をあてて静電潜像を形成する書込み手段と、
前記ケース本体に取り付けて前記開口を覆うカバーと、
該カバーと前記ケース本体との隙間を閉塞するシール材とを備え、
前記ケース本体および／または前記カバーと前記シール材とを一体に成形してなる書込み装置において、
前記ケース本体および／または前記カバーが樹脂からなり、前記シール材が前記樹脂と接合力の弱いエラストマーからなることを特徴とする書込み装置。
【請求項２】
前記エラストマーが発泡体であることを特徴とする請求項１に記載の書込み装置。
【請求項３】
前記成形が多色成形であることを特徴とする請求項１または２に記載の書込み装置。
【請求項４】
前記シール材に、これを前記ケース本体および／または前記カバーから分離するための突起を備えることを特徴とする請求項１ないし３のいずれかに記載の書込み装置。
【請求項５】
請求項１ないし４のいずれかに記載の書込み装置を備えることを特徴とする画像形成装置。
【発明の詳細な説明】
【０００１】
【発明の属する技術分野】
この発明は、上部に開口を有するケース本体と、ケース本体に収容され、画像情報をもとに像担持体上に光をあてて静電潜像を形成する書込み手段と、ケース本体に取り付けて開口を覆うカバーと、カバーとケース本体との隙間を閉塞するシール材とを備え、ケース本体および／またはカバーとシール材とを一体に成形してなる書込み装置、及びその書込み装置を備える、プリンタ、ファクシミリ、複写機、またはそれらの複合機などの画像形成装置に関する。
【０００２】
【従来の技術】
この種の従来の書込み装置は、ケース本体に収容した書込み手段に備えるミラーやレンズなどの光学系に対する防塵性と、書込み手段に備える駆動装置の防音性を向上させるために、樹脂製のケース本体と樹脂製のカバーとの間にスポンジなどからなるシール材を設けて密閉性を向上させていた。このシール材は、ケース本体やカバーとは別体に製造し、両面テープなどでケース本体またはカバーに取り付けていた（例えば、特許文献１）。
しかし、このような構成の書込み装置では、部品点数が多く、組み立て時にシール材を取り付ける工程を設ける必要があり、作業が煩雑であるという問題があった。
【０００３】
【特許文献１】
特開平１０−２４６８６４号公報
【０００４】
そこで、エラストマーのシール材を樹脂製のケース本体またはカバーと一体に成形した書込み装置が提案された。これにより、部品点数を少なくして組み立て工程を簡素化し、組み立てが容易で密閉性のある書込み装置が実現した。
一方、昨今の環境問題への対応から、企業のゼロエミッションへの取り組みが必要となり、書込み装置にあっても廃棄時に材料をリサイクルするため、分解して、シール材とケース本体またはカバーとを分離して回収することが求められている。
【０００５】
【発明が解決しようとする課題】
しかし、一般にエラストマーと樹脂を一体に成形するときは、接合力のあるエラストマーと樹脂の組み合わせを選定するので、廃棄する際に書込み装置を分解して、シール材をケース本体またはカバーから剥がして分離するのが難しく、作業効率が悪いという問題があった。
【０００６】
そこで、この発明の第１の目的は、組み立て・分解が容易で密閉性に優れた書込み装置を提供することにある。
【０００７】
この発明の第２の目的は、シール材を容易に分離することにある。
【０００８】
この発明の第３の目的は、上記の目的を達成した書込み装置を備えた画像形成装置を提供することにある。
【０００９】
【課題を解決するための手段】
このため、請求項１に記載の発明は、第１の目的を達成すべく、上面に開口を有するケース本体と、
該ケース本体に収容され、画像情報をもとに像担持体上に光をあてて静電潜像を形成する書込み手段と、
前記ケース本体に取り付けて前記開口を覆うカバーと、
該カバーと前記ケース本体との隙間を閉塞するシール材とを備え、
前記ケース本体および／または前記カバーと前記シール材とを一体に成形してなる書込み装置において、
前記ケース本体および／または前記カバーが樹脂からなり、前記シール材が前記樹脂と接合力の弱いエラストマーからなることを特徴とする。
【００１０】
請求項２に記載の発明は、第１の目的を達成すべく、請求項１に記載の書込み装置において、前記エラストマーが発泡体であることを特徴とする。
【００１１】
請求項３に記載の発明は、第１の目的を達成すべく、請求項１または２に記載の書込み装置において、前記成形が多色成形であることを特徴とする。
【００１２】
請求項４に記載の発明は、第２の目的を達成すべく、請求項１ないし３のいずれかに記載の書込み装置において、前記シール材に、これを前記ケース本体および／または前記カバーから分離するための突起を備えることを特徴とする。
【００１３】
請求項５に記載の発明は、第３の目的を達成すべく、画像形成装置において、請求項１ないし４のいずれかに記載の書込み装置を備えることを特徴とする。
【００１４】
【発明の実施の形態】
以下、図面を参照しつつ、この発明の実施の形態につき説明する。
は、この発明の書込み装置を備える画像形成装置の一例としての複写機の全体概略構成図である。複写機１は、自動原稿給送部２と、画像読取部３と、書込み装置４と、作像部５と、給紙部６と、反転部７と、排紙部８などを備えてなる。
【００１５】
自動原稿給送部２は、読み取るべき原稿を複数枚重ねて原稿載置台９上に載置し、自動的に画像読取部３の画像読取位置１０に給送して原稿画像を読み取った後、原稿排紙トレイ１２まで給送する。画像読取部３は、画像読取位置１０に搬送されてきた原稿を自身は移動することなく読み取る、いわゆるシートスルー方式の原稿読み取りを行う。言うまでもないが、コンタクトガラス１３上に置かれた原稿も読み取ることができる。
【００１６】
画像読取部３で読み取られた原稿画像は、デジタルデータに変換されて、画像情報として書込み装置４に送られる。書込み装置４では、この画像情報をもとに図示しないレーザダイオードを変調して点灯制御し、ポリゴンミラーを介して作像部５の感光体（像担持体）１４の表面にレーザ光をあてて静電潜像を形成する。
【００１７】
感光体１４の表面に形成された静電潜像は、現像装置１５によってトナー現像され、顕像化された後、給紙部６から給紙されてきた記録媒体である用紙に転写され、定着装置１６で定着された後、排紙部８あるいは反転部７に送られる。
排紙部８に搬送された用紙は、そのまま排紙トレイ１７に排紙され、もしくは所定の後処理を施されて排紙トレイ１７に排紙される。なお、符号１８は排紙部８に用紙を搬送するための中継ユニット、符号１９は手差しトレイである。
【００１８】
ところで、この例の書込み装置４は、詳しくは図２のような構成となっている。すなわち、上面に開口２１を有するケース本体２２と、ケース本体２２に収容され、画像情報をもとに感光体１４上に光をあてて静電潜像を形成する書込み手段と、ケース本体２２に取り付けて開口２１を覆うカバー２４などを備える。
【００１９】
ケース本体２２は、樹脂からなる多面の側面と多角形の底面とを備え、その底面に対向する上面は開口２１となっている。
また、カバー２４は、樹脂からなる多角形板状で、ケース本体２２の開口２１と略同一形状であり、カバー２４の縁に沿って後述するエラストマーからなるシール材２６を備える。
なお、カバー２４の縁には複数のフック２４ａを適宜設け、このフック２４ａに対応する同数の嵌合部２２ａをケース本体２２に設ける。
【００２０】
さらに、書込み手段は、レーザダイオード光源としてのＬＤユニット２７、駆動装置により回転するポリゴンミラー２８、ｆθレンズなどの光学レンズ２９、同期検知ミラー３０、同期検知センサ３１などを備える。
【００２１】
なお、図３（ａ），（ｂ）に示すように、カバー２４の裏面２４ｂには、カバー２４の縁２４ｍからケース本体２２の側面２２ｓの厚さｔだけ内側にシール材２６を備える。このシール材２６は、カバー２４とケース本体２２との隙間を閉塞するためのものであり、エラストマーからなりカバー２４と二色成形（多色成形）により一体に成形する。このエラストマーは発泡体であってもよい。
【００２２】
ところで、従来、シール材２６を構成するエラストマーと、カバー２４を構成する樹脂とは、下記表１に○印で示すように、両者が接合しやすい組み合わせを選定して一体に成形している。しかし、この発明では、シール材２６をカバー２４から剥がして分離しやすいように、シール材２６を構成するエラストマーと、カバー２４を構成する樹脂とを一体に成形した際に接合力の弱くなる組み合わせを選定して一体に成形する。すなわち、表１において、×印の組み合わせの中から選定して一体に成形する。なお、△印の組み合わせについても、樹脂材料を限定すれば、選定可能である。
【００２３】
このようにして成形されたカバー２４とシール部材２６とは、成形時は一体であるので、書込み装置４を組み立てるときに取り扱いが容易であることに加えて、人力で一定の引張力を加えると容易に分離する。なお、○印や△印の組み合わせであっても、一体に成形する際の温度を通常の成形温度１８０℃より２０℃程度低くして１６０℃程度で成形することにより、一体に成形したエラストマーと樹脂とが人力で一定の引張力を加えると容易に分離することができるようになるので、この発明のシール材としても適用可能となる。
【００２４】
【表１】
2004262118.tif 000003
【００２５】
このように構成された書込み装置４を組み立てるときは、書込み手段をケース本体２２の内部にそれぞれ収容して備え付けた後、フック２４ａと嵌合部２２ａとを嵌め合わせてカバー２４をケース本体２２の開口２１を覆うように取り付ける。そして、書込み装置４を複写機１に適宜ねじ止めして取り付ける。
【００２６】
次に、図４を用いて、この例の書込み装置４で感光体１４に静電潜像を形成する動作を説明する。画像読取部３で読み取られた原稿画像がデジタル変換されて画像情報として書込み装置４のＬＤユニット２７に送られると、ビーム光をポリゴンミラー２８に向けて出射する。これと連動して、駆動装置がポリゴンミラー２８を回転させ、ビーム光を偏向して、レンズ系２９を透過して感光体１４にあてて、感光体１４の表面に静電潜像を形成する。
【００２７】
一方、ポリゴンミラー２８により偏向されたビーム光の一部は、同期検知ミラー３０で反射されて同期検知センサ３１に検知され、感光体１４への書き込みのタイミングをとる。
【００２８】
したがって、カバー２４とケース本体２２との隙間にシール材２６を設けてケース本体２２を密閉するので、駆動装置の回転音をケース本体２２の外に漏らすことがなく、防音性に優れる。加えて、外部からケース本体２２内への塵などの侵入も防ぐことができ、防塵性にも優れる。
【００２９】
なお、書込み装置４を廃棄するときは、上述の書込み装置４を組み立てるときと逆の順序となる。すなわち、まず、書込み装置４を複写機１から取り外した後、カバー２４をケース本体２２から外す。次に、書込み手段をそれぞれケース本体２２内から取り外す。
【００３０】
そして、カバー２４に一体に成形されているシール材２６を手で摘んで引張ってカバー２４から分離する。この発明では、シール材２６を構成するエラストマーとカバー２４を構成する樹脂とは、両者の接合力の弱い組み合わせを選択するので、容易にカバー２４からシール材２６を分離することができる。さらに、この例では、カバー２４とシール材２６とを二色成形により一体に成形しているので、カバー２４からシール材２６を一層容易に分離することができる。
【００３１】
ところで、この発明において、カバー２４に一体に成形されているシール材２６を手で摘んで引張ってカバー２４から分離する際の剥離強度、すなわちエラストマーと樹脂との接合力Ｐは、エラストマーの材料強度Ｍに対して、Ｐ＜Ｍを満たすように設定すると、シール材２６がちぎれることなく、カバー２４から分離することができ、好適である。
【００３２】
この例において、図５（ａ），（ｂ）に示すように、一体に成形する際にシール材２６にカバー２４から分離するためのツマミ（突起）４０を形成しておくと、ツマミ４０を摘んでカバー２４からシール材２６をなお一層容易に分離することができる。このツマミ４０は、シール材２６と同一のエラストマーからなり、シール材２６と一体に成形される。
【００３３】
このようにして樹脂からなるカバー２４とエラストマーからなるシール材２６とを分離してリサイクルする。この突起４０は、ケース本体２２の開口２１をカバー２４で覆う際に支障とならず、かつ書込み手段をケース本体２２の内部に取り付ける際に支障とならなければ、どのような形状でもよく、またどこに設けてもよい。
【００３４】
なお、この例では、カバー２４を構成する樹脂と接合力の弱いエラストマーを選定してシール材２６とし、カバー２４とシール材２６とを一体に成形してケース本体２２の開口２１をカバー２４で覆って閉塞したが、この発明はこれに限定されるものではなく、カバー２４を金属で形成し、その金属との接合力の弱いエラストマーを選定し、カバー２４とシール材２６とを一体に成形してもよい。
【００３５】
また、この例では、カバー２４を樹脂で形成し、その樹脂と接合しにくいエラストマーを選定し、カバー２４とシール材２６とを一体に成形してケース本体２２の開口２１をカバー２４で覆って閉塞したが、この発明はこれに限定されるものではなく、ケース本体２２を樹脂で形成し、その樹脂と接合しにくいエラストマーを選定し、ケース本体２２とシール材２６とを一体に成形してもよい。
【００３６】
さらに、図６（ａ），（ｂ）に示すように、カバー２４を樹脂で形成し、その樹脂と接合しにくいエラストマーを選定し、カバー２４とシール材２６ａとを一体に成形するとともに、ケース本体２２を樹脂で形成し、その樹脂と接合しにくいエラストマーを選定し、ケース本体２２とシール材２６ｂとを一体に成形して、ケース本体２２の開口２１をカバー２４で覆って閉塞するようにしてもよい。このようにすると、より一層、防塵性と防音性を高めることができる。
【００３７】
また、この例では、書込み装置を備える複写機について説明したが、この発明はこれに限定されるものではなく、書込み装置を備えるファクシミリ、プリンタ、または、複写機、ファクシミリ、プリンタの複合機などのあらゆる電子写真式画像形成装置に適用することができる。
【００３８】
【発明の効果】
以上、詳述したように、請求項１に記載の発明によれば、書込み装置のケース本体および／またはカバーが樹脂からなり、シール材が樹脂と接合力の弱いエラストマーからなり、両者を一体に成形してなるので、ケース本体の密閉性を向上させるシール材をケース本体とカバーとの間に容易に備えることができ、書込み装置の組み立てが容易である。加えて、シール材を形成するエラストマーと、ケース本体および／またはカバーを形成する樹脂との接合力が弱いので、廃棄の際、書込み装置を分解するにあたって、容易にケース本体および／またはカバーとシール材とを分離することができる。
したがって、組み立て・分解が容易で密閉性に優れた書込み装置を提供することができる。
【００３９】
請求項２に記載の発明によれば、エラストマーが発泡体であるので、一層弾力性に富み、組み立て・分解が容易で一層密閉性に優れた書込み装置を提供することができる。
【００４０】
請求項３に記載の発明によれば、成形が二色成形であるので、エラストマーと樹脂とをさらに容易に分離することができ、より一層、組み立て・分解が容易で密閉性に優れた書込み装置を提供することができる。
【００４１】
請求項４に記載の発明によれば、シール材にこれをケース本体および／またはカバーから分離するための突起を備えるので、突起を摘んで引っ張ることによりシール材を容易に分離することができる。
【００４２】
請求項５に記載の発明によれば、画像形成装置が、請求項１ないし４のいずれかに記載の書込み装置を備えるので、上記の効果を達成した書込み装置を備える画像形成装置を提供することができる。
【図面の簡単な説明】
【図１】この発明の画像形成装置の一例としての複写機の全体概略構成図である。
【図２】図１の内部に備えるこの発明の書込み装置の分解斜視図である。
【図３】（ａ）は図２の書込み装置の一部側面図であり、（ｂ）はそのＸ−Ｘにおける要部断面図である。
【図４】この発明の書込み装置の作用を説明するための図である。
【図５】この発明の書込み装置の別の例の（ａ）は一部側面図であり、（ｂ）はＹ−Ｙにおける要部断面図である。
【図６】この発明の書込み装置のさらに別の例の（ａ）は一部側面図であり、（ｂ）はＺ−Ｚにおける要部断面図である。
【符号の説明】
１    複写機（画像形成装置）
４    書込み装置
１４    感光体（像担持体）
２１    開口
２２    ケース本体
２４    カバー
２４ｂ    裏面
２６，２６ａ，２６ｂ    シール材
２７    ＬＤユニット
２８    ポリゴンミラー
２９    光学レンズ
３０    同期検知ミラー
３１    同期検知センサ
４０    ツマミ（突起）
ｔ    厚さ
【図１】
2004262118.tif 000004
【図２】
2004262118.tif 000005
【図３】
2004262118.tif 000006
【図４】
2004262118.tif 000007
【図５】
2004262118.tif 000008
【図６】
2004262118.tif 000009